(57)【要約】      （修正有）【課題】対面撮影時において、表示部に外力が加わった場合でも、表示部の収納面を有する外装部材の後端部の浮き上りを防止し、外観品位を保つことができる撮像装置を提供する。【解決手段】開口部を持つ本体部と、開口部を覆い、本体部に対して少なくとも閉じ位置と開き位置とをスライド移動可能に構成された蓋部と、本体部に対して少なくとも収納位置と使用位置の２つの位置を回動可能に構成された表示ユニット部と、表示ユニット部には画像を視認可能な表示面と、表示面と対向する本体部側に設けられ、表示ユニット部が取り付けられた外装部材を備え、表示ユニット部は収納位置から使用位置への回動動作させたとき、表示ユニット部の一側面が外装部材に当接することで回動動作を停止するように構成され、蓋部が閉じ位置にあるとき、蓋部に設けられた係合部が外装部材の被係合面に係合する。【選択図】図１１ａ
2015114519.tif 000002
【特許請求の範囲】
【請求項１】
開口部を持つ本体部と、前記開口部を覆い、前記本体部に対して少なくとも閉じ位置と開き位置とをスライド移動可能に構成された蓋部と、
前記本体部に対して少なくとも収納位置と使用位置の２つの位置を回動可能に構成された表示ユニット部と、
前記本体部側に設けられた第１の回転軸と前記表示ユニット側に設けられた第２の回転軸を有し、前記第１の回転軸と前記第２の回転軸での回動動作により前記表示ユニット部を前記収納位置と前記使用位置の２つの位置を回動可能にするヒンジ部と、
前記表示ユニット部には画像を視認可能な表示面と、
前記表示面と対向する前記本体部側に設けられ、前記ヒンジ部が取り付けられた外装部材を備え、
前記表示ユニット部は前記収納位置から前記使用位置への回動動作させたとき、前記表示ユニット部の一側面が前記外装部材に当接することで回動動作を停止するように構成され、前記蓋部が閉じ位置にあるとき、前記蓋部に設けられた係合部が前記外装部材の被係合面に係合することで、前記外装部材が浮き上がることを抑制するように構成されたことを特徴とする撮像装置。
【請求項２】
前記蓋部の前記係合部は前記蓋部の左右方向の両端に配置されていることを特徴とする請求項１に記載の撮像装置。
【請求項３】
前記外装部材の前記被係合面は前記外装部材に設けられた前記電池蓋収納部の左右方向の両端に配置されていることを特徴とする請求項１又は請求項２に記載の撮像装置。
【発明の詳細な説明】
【技術分野】
【０００１】
本発明は、撮像装置の蓋およびその周辺構造に関するものである。
【背景技術】
【０００２】
近年、撮像装置は、その用途・性能に応じて、様々な形態を有している。例えば、撮像装置の場合、撮影データをＳＤカード等のメモリカードに記録するものが多くなっており、撮像装置の筐体に電池収納部や交換可能なメモリカード収納部を構成し、この収納部内に電源用の電池やメモリカードを着脱可能に内蔵しているものが普及している。
【０００３】
また、ＳＮＳへのアップロード等にしばしば見られるように、撮影者自身の現在の行動、状態を他の人に見てもらうため、撮影者自身が撮像装置のレンズを撮影者自身に向けて、撮影者自身を被写体として撮影する、いわゆる自分撮りをする回数が増えてきている。
【０００４】
また、このような撮像装置において、表示部の通常閉じ状態では、表示部がレンズユニット部の光軸方向に表示部の表示面の表示方向が垂直で、かつ、本体上面側になるように配置されている構成を有する撮像装置が増えている。
【０００５】
このような撮像装置においては、電池やメモリカードをゴミなどから守る為に収納部に蓋を設け、蓋の開状態に於いて電池、メモリカードの挿抜をすることができる電子機器が増えている(特許文献１参照）。
【先行技術文献】
【特許文献】
【０００６】
【特許文献１】特開２００２−２８４２０９号公報
【発明の概要】
【発明が解決しようとする課題】
【０００７】
しかしながら、上述の特許文献１に示すような一般的なカードカバーを配置した撮像装置では、回動防止のためのつめ部およびつめ受け部が配置されているだけで、カードカバー周囲の構造に外力が加わった際の、筐体との関係は勘案されていなかった。
【課題を解決するための手段】
【０００８】
本発明は、上記課題を鑑み、開口部を持つ本体部と、開口部を覆い、本体部に対して少なくとも閉じ位置と開き位置とをスライド移動可能に構成された蓋部と、本体部に対して少なくとも収納位置と使用位置の２つの位置を回動可能に構成された表示ユニット部と、表示ユニット部には画像を視認可能な表示面と、表示面と対向する本体部側に設けられ、表示ユニット部が取り付けられた外装部材を備え、表示ユニット部は収納位置から使用位置への回動動作させたとき、表示ユニット部の一側面が外装部材に当接することで回動動作を停止するように構成され、蓋部が閉じ位置にあるとき、蓋部に設けられた係合部が外装部材の被係合面に係合するように構成されたことを特徴とする。
【０００９】
また、蓋部は本体部の背面側に配置され、蓋部は閉じ位置において、表示ユニット部の底面側に配置されることを特徴とする。
【００１０】
また、外装部材には蓋部の閉じ位置において、蓋部が収納される蓋部収納部を備えたことを特徴する。
【００１１】
また、蓋部の係合部は蓋部の両端、もしくは一辺に配置されていることを特徴とする。
【００１２】
また、外装部材の被係合面は外装部材に設けられた電池蓋収納部の両端、もしくは一辺に配置されていることを特徴とする。
【発明の効果】
【００１３】
本発明によれば、対面撮影時において、表示ユニット部に外力が加わると、その外力によって、外装部材が浮き上がることなく、外観品位を損なわない撮像装置を提供することが可能である。
【図面の簡単な説明】
【００１４】
【図１】撮像装置本体の主に上面構成を表す正面から見た斜視図
【図２】撮像装置本体の主に上面構成を表す背面から見た斜視図
【図３】撮像装置本体の主に底面構成を表す背面から見た斜視図
【図４】撮像装置本体の電池蓋を撮像装置本体に対して開いた状態を示した斜視図
【図５】本撮像装置におけるシステムブロック図
【図６ａ】バリアを開いた状態に操作し、表示ユニット部を所定量開いた状態を斜視図
【図６ｂ】撮像装置本体に対して表示ユニット部を略９０°開いた図
【図６ｃ】撮像装置本体に対して表示ユニット部を対面表示状態にした図
【図７】撮像装置本体を分解した斜視図
【図８ａ】撮像装置本体を構成する底面カバーユニットの斜視図
【図８ｂ】底面カバーユニットを構成する底面カバーの斜視図
【図８ｃ】底面カバーユニットを構成する電池蓋保持部材の斜視図
【図８ｄ】底面カバーユニットを構成する電池蓋の斜視図
【図９ａ】上面カバーユニットの上面斜視図
【図９ｂ】上面カバーユニットを底面側から見た斜視図
【図９ｃ】上面カバーの上面斜視図
【図１０ａ】撮像装置本体の背面図
【図１０ｂ】電池蓋閉じ状態を電池蓋保持部材の保持部中心で切断した部分断面図
【図１０ｃ】電池蓋をスライド移動させた状態を電池蓋保持部材の保持部中心で切断した部分断面図
【図１０ｄ】回転させた電池蓋開き状態を電池蓋保持部材の保持部中心で切断した部分断面図
【図１１ａ】電池蓋閉じ状態の時の電池蓋の爪部で切断した部分断面図
【図１１ｂ】電池蓋をスライド移動させた状態の時の電池蓋の爪部で切断した部分断面図
【図１２ａ】電池蓋閉じ状態の時の電池蓋の係合部で切断した部分断面図
【図１２ｂ】電池蓋をスライド移動させた状態の時の電池蓋の係合部で切断した部分断面図
【図１３ａ】対面撮影状態の撮像装置本体を上面から見た図
【図１３ｂ】対面撮影状態の撮像装置本体を右側面から見た側面図
【発明を実施するための形態】
【００１５】
以下、本発明の好適な一実施形態について、小型且つ薄型の撮像装置に本発明を適用し、図面を参照しながら詳細に説明する。尚、本実施形態での説明において、図１における矢印にて示す方向を、各々±Ｘ方向・±Ｙ方向・±Ｚ方向と定める。また、本実施形態における撮像装置において、レンズ（バリア）側から見た面（図１−Ｘ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。
【００１６】
（撮像装置外観斜視図の説明）
図１は撮像装置本体１０１の主に上面構成を表す正面から見た斜視図、図２は撮像装置本体１０１の主に上面構成を表す背面から見た斜視図、図３は撮像装置本体１０１の主に底面構成を表す背面から見た斜視図、図４は撮像装置本体１０１の電池蓋２０９を撮像装置本体１０１に対して開いた状態を示した斜視図である。本図を用いて外観斜視図に表される各要素の機能を簡単に説明していく。
【００１７】
図１〜図４において、１０１は第１の実施形態を実施した撮像装置本体である。
【００１８】
撮像装置本体１０１の正面側にはフロントユニット１０２が配置されている。
【００１９】
フロントユニット１０２には、フロントユニット１０２の外観を成し、撮像装置本体１０１正面側及び撮像装置本体１０１上面側を覆う金属製のフロントカバー１０３が配置されている。
【００２０】
撮像装置本体１０１の正面側には、入力された音声信号を電気信号に変換するマイクＬ１０４及びマイクＲ１０５が配置されている。
【００２１】
撮像装置本体１０１内部に配置されるレンズ部（後述）を保護する開閉可能なバリア１０６が配置されている。
【００２２】
撮像装置本体１０１の上面側には、フロントカバー１０３の内部に配置されたスピーカー（不図示）から出力される音声を、フロントカバー１０３の上面側に形成された孔から外部へと伝えるスピーカー部１０７が配置されている。
【００２３】
閉じ状態において撮像装置本体１０１の上面側から視認可能な表示ユニット部１０８が配置されている。
【００２４】
表示ユニット部１０８には撮像画像や再生画像の表示を行うＬＣＤ等で構成される表示部１０９が配置されている。
【００２５】
表示部１０９の表面には、撮影者がタッチすることで操作入力を可能とするタッチパネル部１１０が配置されている。
【００２６】
撮像装置本体１０１の右側面には、Ｒカバーユニット１１１が配置されている。Ｒカバーユニット１１１には、開閉可能に構成され、外部接続機器と接続するための端子部を覆うための端子カバー１１２が配置されている。
【００２７】
端子カバー１１２を開くと、ＰＣなどの外部接続機器と通信可能になるＵＳＢケーブルを挿入可能なＵＳＢ端子１１３、撮影画像をテレビなどの外部表示装置に出力可能であるＨＤＭI（登録商標）ケーブルを挿入可能であるＨＤＭＩ端子１１４が設けられている。
【００２８】
また、操作されることで再生モードと撮影モードとを移行可能にする再生ノブ１１５が配置されている。
【００２９】
Ｒカバーユニット１１１の背面側には、カード状記録媒体と撮像装置本体１０１の本体制御部（後述）が通信を行っている際に発光する本体内部に配置された発光部からの光を外観へと導光する、透明部材で形成されたアクセスＬＥＤ窓２０３が配置されている。
【００３０】
撮像装置本体１０１の右側面の正面側には、操作されることで画像撮影、撮影停止を行うレリーズノブ１１６が配置されている。
【００３１】
撮像装置本体１０１の左側面には、撮影者がスライド操作することでバリア１０６を開閉すると共に、撮像装置本体１０１の電源をＯＮ／ＯＦＦさせるバリア電源ノブ２０１が配置されている。
【００３２】
撮像装置本体１０１の電源ＯＮ／ＯＦＦの状態に応じて発光し、本体内部に配置された発光部からの光を外観へ導光する、透明部材で形成された電源ＬＥＤ窓２０２が配置されている。
【００３３】
撮像装置本体１０１の左側面には、Ｌカバーユニット２０４が配置されている。また、操作することで撮像装置本体１０１のマイクＬ１０４、マイクＲ１０５のマイクボリューム調整などを可能にするダイヤル部２０５が配置されている。
【００３４】
また、外部マイクを接続可能な外部マイク端子２０６、ヘッドフォンを接続可能なヘッドフォン端子２０７、電源供給可能なＤＣケーブルを挿入可能な電源端子２０８が撮像装置本体１０１の左側面に配置されている。
【００３５】
撮像装置本体１０１の底面側には、底面カバーユニット３０１が配置されている。底面カバーユニット３０１には、底面カバーユニット３０１の外観を成し、撮像装置本体１０１底面側を覆う底面カバー３０２が配置されている。
【００３６】
また、撮像装置本体１０１を使用して、平面を有する台などに接地させて撮影する際に、撮像装置本体１０１を所定の角度で支持可能なスタンド部３０３が配置されている。
【００３７】
また、撮像装置本体１０１底面側及び撮像装置本体１０１背面側を覆うように配置され、撮像装置本体１０１に対して開閉動作可能に構成された電池蓋２０９が配置されている。
【００３８】
また、撮像装置本体１０１の底面側の右側面側および左側面側には、ストラップを装着するためのストラップ穴３０４が配置されている。
【００３９】
また、撮像装置本体１０１の底面側には、三脚ネジに締結される雌ネジ部を有する三脚取付部３０５が配置されている。
【００４０】
電池蓋２０９を開くと、カード状記録媒体を装着可能なカードソケット４０１が配置されている。また、電池を収納する電池ボックス４０２が配置されている。電池ボックス４０２の右側面側には電池が収納されたときに電池を電池ボックス４０２内に保持するための電池ロックレバー４０３が配置されている。
【００４１】
（撮像装置システムブロック図の説明）
図５は、本撮像装置におけるシステムブロック図を表している。本図を用いて、本撮像装置の内部動作システムを簡単に説明する。尚、本図において他図と同様の構成要素には同様の符号を付し、図示を省略する。
【００４２】
図５において、本図左側に描かれた、レンズ部５０１とセンサ部５０２をまとめてレンズユニット部と称する。前述したように、光学レンズ群を有するレンズ部５０１に入射した光学情報は、センサ部５０２において受光され、センサ部５０２の光電変換機能によって、光学情報を電気情報（画像情報）へ変換する。
【００４３】
本図中央部に描かれた本体部は、主基板５０３を有する。主基板５０３の本体制御部５０４は、画像・音声情報の入出力、圧縮・変換等の画像処理、記録・再生等の録再処理、等に代表される情報処理を、主基板５０３に設けられたメモリ５０５と通信しながら行う。発光部５０６は各ＬＥＤ素子により光を発光し、透明材料で形成された電源ＬＥＤ窓２０２やアクセスＬＥＤ窓２０３によって導光され、撮影者へ視認可能に、外観へ露光される。電源部５０７は電池や外部電源ケーブルを介して外部電源より電力を得ることが可能である。各電源部５０７より得られる電力は本体制御部５０４へ電送される。
【００４４】
本体制御部５０４へ電送られた電力は、本体制御部５０４により各駆動要素に適した電圧に電圧変換が行われた後、各駆動要素の電源として各駆動要素へ電送される。外部接続端子部５０８は各外部接続端子部に外部接続ケーブルが接続されると、その接続を各接続端子が検知し、本体制御部５０４へ検知信号を伝達する。本体制御部５０４は、接続された外部接続ケーブルに応じて、画像情報の入出力等の制御を行う。無線通信部５０９は本発明とは関係がないため詳細を明記しないが無線モジュールを通じて外部無線機器と、無線で情報通信が可能である。画像の記録を行う場合は、本体制御部５０４が、外部記憶装置部５１０へ画像情報を伝達し、外部記録メディア（マイクロＳＤカード等）へと撮影画像を記録させる。操作部５１１に該当する要素として、例えばレリーズノブ１１６、再生ノブ１１５が該当する。各操作部が操作されると本体制御部５０４へ操作情報を伝達する。本体制御部５０４はこの操作情報を元に、画像記録や再生モードへのモード切り替えを行う。
【００４５】
図５において、本図右側に描かれた表示ユニット部１０８はパネル基板部を有する。パネル基板部は本体制御部５０４と電気的に接続され、本体制御部との間で情報の伝達が可能に構成される。例えば、レンズユニット部で撮影されている画像情報が本体制御部に電送され、本体制御部により画像処理された後、本体制御部がパネル基板部へその画像情報を電送する。パネル基板部は受けとった画像情報を画像処理した後、表示部１０９へ電送しユーザーに向けて撮影画像を表示させる。また、撮影者がタッチパネル部１１０より操作した操作情報は、パネル基板部へと伝達され、パネル基板部から本体制御部へと電送される。本体制御部は、この操作情報に応じて、各構成要素の制御を行う。
【００４６】
（表示ユニットの説明）
図６（ａ）は図１の状態から、バリア１０６を開いた状態に操作し、表示ユニット部１０８を所定量開いた状態を斜視図にて表している。
【００４７】
バリア１０６を開くと、被写体の光学情報を得る為の複数のレンズ群で構成されたレンズ部５０１が撮像装置本体１０１外観に露出する。
【００４８】
表示ユニット部１０８を撮像装置本体１０１に対して回転移動可能に取り付けるヒンジ部６０１が配置されている。ヒンジ部６０１は撮像装置本体１０１側に配置された第１回転軸６０２とヒンジ部６０１側に配置された第２回転軸６０３を有している。
【００４９】
撮像装置本体１０１には、表示ユニット部１０８裏面が対向する側に設けられた上面カバー６０４が配置されている。
【００５０】
図６（ａ）に示すように、表示ユニット部１０８は撮像装置本体１０１に対して回転移動可能に構成される。本図を用いて表示ユニット部１０８の可動可能な姿勢について説明する。ヒンジ部６０１は本体内部背面側の図示しない締結部によって撮像装置本体１０１に締結される。また、ヒンジ部６０１はこの締結部近傍に一点鎖線で表示した第１回転軸６０２を有し、撮像装置本体１０１に対する表示ユニット部１０８の回転移動を可能にする。このように、表示ユニット部１０８を回転移動させることで、撮影者は表示内容を見やすい位置に表示ユニット部１０８の位置を調整することが可能となる（図６（ａ）は表示ユニット部１０８を撮像装置本体１０１に対して第１回転軸６０２回りに３０°回転移動させた位置）。尚、図６（ｂ）に示すように、撮像装置本体１０１においては、表示ユニット部１０８を撮像装置本体１０１に対して略９０°回転移動可能に構成されている。
【００５１】
図６（ｃ）は、図６（ａ）の状態から表示ユニット部１０８を撮像装置本体１０１に対してさらに回転させ略９０°の位置まで移動させた後、第２回転軸６０３を中心に表示部１０９表示部１０９をヒンジ部６０１表示部１０９に対して略１８０°回転させ、表示部１０９を撮像装置正面側に向かせた状態を表している。本図からわかるように、この状態ではレンズ部５０１と表示部１０９が同方向を向くこととなる。この為、撮影者がレンズ側にいる状態で撮影を行う（自分撮り）場合、レンズ部５０１で撮影された撮影画像を、表示部１０９で確認しながら撮影を行うことが可能となり、良好な自分撮り撮影を行うことが可能である。
【００５２】
次に図７を用いて第一の実施形態であるビデオカメラの主要な構成を説明する。
【００５３】
図７は撮像装置本体１０１を分解した斜視図であり、電源ＩＣなどの電気部品とＨＤＭＩ端子１１４やＵＳＢ端子１１３などの端子を備えている主基板５０３、レンズ部５０１やセンサ部５０２などを保持し、前面部を構成するフロントユニット１０２、表示ユニット部１０８が取り付けられ、上面部を構成する上面カバーユニット７０１、電池蓋２０９が取り付けられ、背面部及び底面部を構成する底面カバーユニット３０１、端子カバー１１２、再生ノブ１１５を備え右側面部を構成するＲカバーユニット１１１、ダイヤル部２０５を備え、左側面部を構成するＬカバーユニット２０４、挿入された電池を保持する電池ボックスユニット８０２によって構成されている。
【００５４】
図７を用いて第一の実施形態であるビデオカメラの組み方を簡単に説明する。まず、フロントユニット１０２に対して主基板５０３を取り付ける。次に、Ｌカバーユニット２０４を左側面方向から主基板５０３に対して組み込む。次に、Ｒカバーユニット１１１を右側面方向から主基板５０３に対して組み込む。次に、上面カバーユニット７０１を主基板５０３に取り付ける。次に、電池ボックスユニット８０２を主基板５０３に対して組みつける。
【００５５】
最後に底面カバーユニット３０１をＬカバーユニット２０４およびＲカバーユニット１１１に対して外形を合わせるように組みつけることで一体化が完了する。
【００５６】
（底面カバーユニット、電池蓋の構造）
次に図８（ａ）を用いて底面カバーユニット３０１の主要な構成を説明する。図８(ａ)は底面カバーユニット３０１の斜視図である。図８（ｂ）は底面カバーユニット３０１を構成する底面カバー３０２の斜視図である。図８（ｃ）は底面カバーユニット３０１を構成する電池蓋保持部材８０１ａの斜視図である。図８（ｄ）は底面カバーユニット３０１を構成する電池蓋２０９の斜視図である。
【００５７】
底面カバーユニット３０１には電池蓋２０９の収納時の引込みと引き出した時のクリックを目的とした電池蓋保持部材８０１ａ、８０１ｂが設けられている。底面カバー３０２には、電池蓋２０９のスライド時のガイドとなる電池蓋ガイド部８０２ａ、８０２ｂが設けられている。
【００５８】
また、底面カバー３０２には、係合穴部８０３ａ、８０３ｂが設けられ、後述する電池蓋２０９の爪部８１０ａ、８１０ｂが係合することで電池蓋２０９の閉じ状態を保持している。
【００５９】
電池蓋保持部材８０１ａには、底面カバー３０２に対する取付部８０４ａが設けられており、取付部８０４ａに設けられた取付穴８０５ａにビスを挿通させることで、底面カバー３０２に固定されている。さらに取付部８０４ａから電池蓋２０９を保持するための保持部８０６が延在している。保持部８０６ａ先端には保持凸部８０７ａが設けられており、後述する電池蓋２０９の開閉動作におけるクリックの感触を付与している。
【００６０】
電池蓋保持部材８０１ｂは電池蓋保持部材８０１ａと対称形状であり、構成される箇所は同一であるため、説明は省略する。
【００６１】
電池蓋２０９には、腕部８０８ａ、８０８ｂが設けられている。腕部８０８ａ、８０８ｂにはそれぞれ回転軸部８０９ａ、８０９ｂが設けられており、底面カバー３０２の電池蓋ガイド部８０２ａ、８０２ｂと電池蓋保持部材８０１ａ、８０１ｂの保持凸部８０７ａ、８０７ｂに挟持される。
【００６２】
このように構成することで、電池蓋２０９は底面カバー３０２にスライド及び回転可能に支持できる。
【００６３】
また、電池蓋２０９には爪部８１０ａ、８１０ｂが設けられており、底面カバー３０２に設けられた係合穴部８０３ａ、８０３ｂに係合することで、電池蓋２０９の閉じ状態を保持する。
【００６４】
電池蓋２０９上面側には係合部８１１ａ、８１１ｂが配置されている。また、電池蓋２０９には開き状態での回転移動端となるストッパー面８１２が配置されている。
【００６５】
（上面カバーユニット、上面カバーの説明）
次に図９（ａ）〜図９（ｃ）を用いて上面カバーユニット７０１の主要な構成を説明する。
【００６６】
図９（ａ）は上面カバーユニット７０１の上面斜視図である。    図９（ｂ）は上面カバーユニット７０１を底面側から見た斜視図である。  図９（ｃ）は上面カバー６０４の上面斜視図である。
【００６７】
上面カバーユニット７０１は上面カバー６０４と表示ユニット部１０８で構成されている。
【００６８】
表示ユニット部１０８は、ヒンジ部６０１の取付部材９０４ａ、９０４ｂを介して、上面カバー６０４にビスで固定されている。
【００６９】
上面カバー６０４には、表示ユニット部１０８が第２回転軸６０１で回転する際に、摺動する摺動面９０１ａ、９０１ｂが配置されている。
【００７０】
また、上面カバー６０４の背面側には電池蓋２０９が収納される電池蓋収納部９０２が設けられている。また、電池蓋収納部９０２には電池蓋２０９の係合部８１１ａ、８１１ｂが係合する被係合面９０３ａ、９０３ｂが設けられている。
【００７１】
（電池蓋の動作説明）
図１０(ａ)〜 図１０（ｄ）を用いて底面カバーユニット３０１と上面カバー６０４が一体に組まれた状態での電池蓋２０９の開き動作について説明する。
【００７２】
図１０（ａ）は、撮像装置本体１０１を背面からみた図である。図１０（ｂ）は電池ボックスユニット４０１と上面カバー６０４を組み付けた、電池蓋閉じ状態を電池蓋保持部材８０１ａの保持部８０６ａ中心で切断した部分断面図（図１０（ａ）Ｃ−Ｃ断面）である。
【００７３】
図１０(ｃ)は図１０(ｂ)の電池蓋２０９の閉じ状態より、矢印Ａ方向へと電池蓋２０９をスライド移動させた状態を電池蓋保持部材８０１ａの保持部８０６ａ中心で切断した部分断面図（図１０（ａ）Ｄ−Ｄ断面）である。
【００７４】
図１０(ｄ)は図１０(ｃ)の状態より、電池蓋２０９を矢印Ｂ方向へと回転させた電池蓋開き状態を電池蓋保持部材８０１ａの保持部８０６ａ中心で切断した部分断面図（図１０（ａ）Ｅ−Ｅ断面）である。
【００７５】
図１１(ａ)は電池蓋閉じ状態の時の電池蓋２０９の爪部８１０ａで切断した部分断面図である。図１１(ｂ)は図１０(ａ)の電池蓋２０９の閉じ状態より、矢印Ａ方向へと電池蓋２０９をスライド移動させた状態の時の電池蓋２０９の爪部８１０ａで切断した部分断面図である。
【００７６】
図１２(ａ)は電池蓋閉じ状態の時の電池蓋２０９の係合部８１１ａで切断した部分断面図である。図１２(ｂ)は図１２(ａ)の電池蓋２０９の閉じ状態より、矢印Ａ方向へと電池蓋２０９をスライド移動させた状態の時の電池蓋２０９の係合部８１１ａで切断した部分断面図である。
【００７７】
図１０(ｂ)〜 図１０（ｄ）、図１１(ａ)、 図１１（ｂ）、図１２(ａ)、 図１２（ｂ）において、説明に必要な部品のみを図示している。
【００７８】
電池蓋２０９は閉じ状態の時、図１２(ａ)のように爪部８１０ａが底面カバー３０２の係合穴部８０３ａと係合することでその姿勢を保持している。電池蓋２０９の閉じ状態から、電池蓋２０９に矢印Ａ方向への力を加えると電池蓋２０９は電池蓋２０９の回転軸部８０９ａが電池蓋保持部材８０１の保持凸部１０９ｄを押し上げることでクリック力を出しながらスライド移動する。
【００７９】
電池蓋２０９は回転軸部８０９ａを挟持している底面カバー３０２の電池蓋ガイド部８０２ａの範囲内で移動することにより、スライド移動することが可能である。電池蓋２０９はスライド移動した後、電池蓋２０９の回転軸部８０９ａを中心に矢印Ｂ方向へと電池蓋２０９のストッパー面８１２が電池ボックスに突き当たる回転移動端まで回転させることで電池蓋２０９は開き状態となり、電池の挿抜が可能となる。
【００８０】
また、電池蓋２０９は閉じ状態の時、図１１(ａ)に示すように電池蓋２０９の係合部８１１ａと上面カバー６０４の被係合面９０３ａが所定のクリアランスを持って係合する。
【００８１】
図１３（ａ）は図６（ｃ）に示した対面撮影状態の撮像装置本体１０１を上面から見た図である。図１３（ｂ）は図６（ｃ）に示した対面撮影状態の撮像装置本体１０１を右側面から見た側面図である。
【００８２】
このような構成において、自分撮り、もしくは対面撮影時に、表示ユニット部１０８に矢印Ｆ方向の荷重が加わった場合について説明する。
【００８３】
表示ユニット部１０８に矢印Ｆ方向の荷重が加わると、図１３（ｂ）に示すように表示ユニット部１０８の正面側が上面カバー６０４の摺動面９０１ａ、９０１ｂに当接する。
【００８４】
そのまま、矢印Ｆ方向の荷重が加わり続けると、図９（ｂ）で示したように上面カバー６０４とヒンジ部６０１が締結されているため、上面カバ-６０４と表示ユニット部１０８が当接している部分Ｇを支点に上面カバー６０４の背面側、特に電池蓋収納部９０２近傍を撮像装置本体１０１の上面方向に持ち上げる。
【００８５】
しかし、電池蓋２０９の係合部８１０ａが表示ユニット部１０８が取り付けられた上面カバー６０４の被係合面９０３ａに係合しているため、上面カバー６０４の背面側が所定のクリアランス以上に浮きあがりにくくなる。
【００８６】
以上、説明したように、対面撮影時において、表示ユニット部に外力が加わると、その外力によって、外装部材が浮き上がることなく、外観品位を損なわない撮像装置を提供することが可能である。
【００８７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００８８】
１０１・・・・撮像装置本体 
１０８・・・・表示ユニット部 
１０９・・・・表示部 
２０９・・・・電池蓋 
３０１・・・・底面カバーユニット 
３０２・・・・底面カバー 
６０１・・・・ヒンジ部 
６０２・・・・第１回転軸（本体側） 
６０３・・・・第２回転軸（表示部側） 
６０４・・・・上面カバー 
８０１ａ、８０１ｂ・・・・電池蓋保持部材 
８０２ａ、８０２ｂ・・・・電池蓋ガイド部 
８０３ａ、８０３ｂ・・・・係合穴部 
８０４ａ・・・・取付部 
８０５ａ・・・・取付穴 
８０６ａ・・・・保持部 
８０７ａ・・・・保持凸部 
８０８ａ、８０８ｂ・・・・腕部 
８０９ａ、８０９ｂ・・・・回転軸部 
８１０ａ、８１０ｂ・・・・爪部 
８１１ａ、８１１ｂ・・・・係合部 
８１２・・・・ストッパー面
９０１ａ、９０１ｂ・・・・摺動面 
９０２・・・・電池蓋収納部 
９０３ａ、９０３ｂ・・・・被係合面
【図１】
2015114519.tif 000003
【図２】
2015114519.tif 000004
【図３】
2015114519.tif 000005
【図４】
2015114519.tif 000006
【図５】
2015114519.tif 000007
【図６ａ】
2015114519.tif 000008
【図６ｂ】
2015114519.tif 000009
【図６ｃ】
2015114519.tif 000010
【図７】
2015114519.tif 000011
【図８ａ】
2015114519.tif 000012
【図８ｂ】
2015114519.tif 000013
【図８ｃ】
2015114519.tif 000014
【図８ｄ】
2015114519.tif 000015
【図９ａ】
2015114519.tif 000016
【図９ｂ】
2015114519.tif 000017
【図９ｃ】
2015114519.tif 000018
【図１０ａ】
2015114519.tif 000019
【図１０ｂ】
2015114519.tif 000020
【図１０ｃ】
2015114519.tif 000021
【図１０ｄ】
2015114519.tif 000022
【図１１ａ】
2015114519.tif 000023
【図１１ｂ】
2015114519.tif 000024
【図１２ａ】
2015114519.tif 000025
【図１２ｂ】
2015114519.tif 000026
【図１３ａ】
2015114519.tif 000027
【図１３ｂ】
2015114519.tif 000028